(57)【要約】【課題】オーバーキャップレスにおいて、誤作動や不用意にレバーが押し下げられ誤吐出することが防止すると共に、吐出が確実に行えるように容易に切り替え可能である吐出ヘッドを提供することである。【解決手段】容器体２０の首部に着脱自在に装着される筒状カバー３０と、該容器体２０のステム２１に嵌合する嵌合筒５１及び該嵌合筒５１に連通したノズル５６を有し、上下に移動可能とするノズルヘッド５０と、該ノズルヘッド５０を下方へ押し下げる押圧板６１を有するレバー本体６０と、を備えた吐出ヘッドであって、該筒状カバー３０の窪み３７ｂに、押圧板６１を係止して下方への押し下げを規制するロック状態及び該押圧板６１を下方へ押し下げ可能とするロック解除状態に可変可能な筒状カバー一体型ストッパー３４を備えたことを特徴とする吐出ヘッド。【選択図】図３
2015209273.tif 000002
【特許請求の範囲】
【請求項１】
容器体２０の首部に着脱自在に装着される筒状カバー３０と、
該容器体２０のステム２１に嵌合する嵌合筒５１及び該嵌合筒５１に連通したノズル５６を有し、上下に移動可能とするノズルヘッド５０と、
該ノズルヘッド５０を下方へ押し下げる押圧板６１を有するレバー本体６０と、
を備えた吐出ヘッドであって、
該筒状カバー３０の窪み３７ｂに、押圧板６１を係止して下方への押し下げを規制するロック状態及び該押圧板６１を下方へ押し下げ可能とするロック解除状態に可変可能な筒状カバー一体型ストッパー３４を備えたことを特徴とする吐出ヘッド。
【請求項２】
前記押圧板６１の下面に筒状カバー一体型ストッパー３４を係止する下面溝６４を有する請求項１に記載の吐出ヘッド。
【請求項３】
前記窪み３７ｂ上面には、前記筒状カバー一体型ストッパー３４を係止するストッパー係止部材が形成されている請求項１又は２に記載の吐出ヘッド。
【請求項４】
前記容器体２０がエアゾール容器である請求項１〜３のいずれかに記載の吐出ヘッド。
【発明の詳細な説明】
【技術分野】
【０００１】
本発明は、エアゾール容器等の頭部に装着されて容器内の内容液を吐出する吐出ヘッドに関する。
【背景技術】
【０００２】
従来、例えばある種の染毛剤のように、２種の薬液を使用時に一緒に吐出するタイプのもので、薬液を個々にエアゾール式の容器体に収納し、この一対の容器体から内容物である薬液を同時に吐出させると共に、この吐出させた薬液を一緒に一ヶ所から吐出するものとして、例えば以下の特許文献１に開示された技術がある。
【０００３】
この従来技術は、ステムが設けられた２つの容器体と、両容器体に着脱自在に組み付くカバー筒と、このカバー筒内に収納されるノズルを備えた押下げヘッド部材及び押下げ板を具備し、押下げヘッド部材は容器体のステムに係合し、ステムと共に上下可能にカバー筒に収納されている。
【０００４】
このようなエアゾール式容器体の携帯時、輸送時や保管時に誤って押しレバーが押し下げられるといった誤作動に伴い、内容物が誤って吐出されてしまう場合があり、このような誤吐出を防止する必要があった。そのため、エアゾール式容器体においては誤作動防止目的のオーバーキャップを付属して販売することが広く行われていた。しかしながら、製品のよりコスト低減のためオーバーキャップを用いない、所謂オーバーキャップレスにおいて誤吐出を防止することが求められた。
【先行技術文献】
【特許文献】
【０００５】
【特許文献１】特開２００２−０３７３６６号公報
【発明の概要】
【発明が解決しようとする課題】
【０００６】
本発明は、オーバーキャップレスにおいて、誤作動や不用意にレバーが押し下げられ誤吐出することが防止すると共に、吐出が確実に行えるように容易に切り替え可能である吐出ヘッドを提供することを目的とする。
【課題を解決するための手段】
【０００７】
上記課題の解決手段として、本発明に係る発明は、
容器体の首部に着脱自在に装着される筒状カバーと、
該容器体のステムに嵌合する嵌合筒及び該嵌合筒に連通したノズルを有し、上下に移動可能とするノズルヘッドと、
該ノズルヘッドを下方へ押し下げる押圧板を有するレバー本体と、
を備えた吐出ヘッドであって、
該筒状カバーの窪みに、押圧板を係止して下方への押し下げを規制するロック状態及び該押圧板を下方へ押し下げ可能とするロック解除状態に可変可能な筒状カバー一体型ストッパーを備えたことを特徴とする。
【０００８】
この構成によって、オーバーキャップレスであっても、誤作動や不用意にレバーが押し下げられ誤吐出することを防止することができる。また、ロック状態からロック解除状態、その逆のロック解除状態からロック状態への切り替えも容易に行うことが可能である。
【０００９】
また、本発明に係る別の吐出ヘッドにおいて、押圧板の下面に筒状カバー一体型ストッパーを係止する下面溝を有するものである。
【００１０】
上記構造では、下面溝によって筒状カバー一体型ストッパーをより確実に係止させることが可能となった。
【００１１】
また、本発明に係る別の吐出ヘッドにおいて、窪み上面に筒状カバー一体型ストッパーを係止するストッパー係止部材が形成されている。
【００１２】
上記構造では、ロック解除状態のストッパー不使用時には筒状カバー一体型ストッパーを閉状態に折り畳むことができるため、押圧板の下方への押し下げを阻害することがなく吐出が確実に行える。
【００１３】
また、本発明に係る別の吐出ヘッドにおいて、容器体がエアゾール容器である。
【００１４】
上記構造では、エアゾール容器用として使用した吐出ヘッドの誤作動や不用意にレバーが押し下げられ誤吐出することが防止することができる。
【発明の効果】
【００１５】
本発明の主たる構成においては、オーバーキャップレスであっても、筒状カバー一体型ストッパーによって誤作動や不用意にレバーが押し下げられ誤吐出することが防止することができる。また、ストッパーによるロック状態からロック解除状態、その逆のロック解除状態からロック状態への切り替えも容易に行うことが可能である。
【００１６】
押圧板の下面に筒状カバー一体型ストッパーを係止する下面溝を有するものにあっては、下面溝に筒状カバー一体型ストッパーが嵌ることによって、より確実に係止することが達成される。
【００１７】
窪み上面に筒状カバー一体型ストッパーを係止するストッパー係止部材が形成されているものにあっては、ロック解除状態のストッパー不使用時に筒状カバー一体型ストッパーを閉状態に折り畳むことができるため、押圧板の下方への押し下げを阻害することがなく吐出が確実に行うことが可能となる。
【図面の簡単な説明】
【００１８】
【図１】本発明に係る吐出ヘッドを備えたエアゾール式吐出体を示し、図中の左半分は正面図、右半分は半断面図である。
【図２】（ａ）は図１の吐出ヘッドを備えたエアゾール式吐出体の背面図、（ｂ）は側面図である。
【図３】吐出ヘッドにおいてストッパーが作用しているロック状態を示す縦断面図である。
【図４】吐出ヘッドにおいてストッパーを解除したロック解除状態を示す縦断面図である。
【図５】吐出ヘッドにおいてレバー本体が下方へ押し込まれ吐出状態を示す縦断面図である。
【発明を実施するための形態】
【００１９】
以下、本発明にかかる実施の形態について図面を参照しつつ説明する。
【００２０】
図１は、本発明に係る吐出ヘッドを備えたエアゾール式吐出体を示す第１実施例であり、図中の左半分は正面図、右半分は半断面図である。図２（ａ）は、図１の吐出ヘッドを備えたエアゾール式吐出体の背面図、（ｂ）は側面図である。図３は、吐出ヘッドにおいてストッパーが作用しているロック状態を示す縦断面図であり、図４は吐出ヘッドにおいてストッパーを解除したロック解除状態を示す縦断面図であり、図５は吐出ヘッドにおいてレバー本体が押し込まれ吐出状態を示す縦断面図である。
【００２１】
本実施形態で示されるエアゾール式吐出体１０は、二本のエアゾール容器体２０と、エアゾール容器体２０を固定する固定盤４０と、固定されたエアゾール容器体２０に組み付ける吐出ヘッド１を備えている。
【００２２】
二本のエアゾール容器体２０は、それぞれ異種の内容物を収納したエアゾール容器体であり、例えば化粧品や毛染め剤等の内容物を混合して用いる液剤を収納している。なお、二本のエアゾール容器体２０は、同種の内容物を収納したエアゾール容器体でも構わない。そしてエアゾール容器体２０は、上面より上方付勢状態で押し込み可能にステム２１を突設し、ステム２１の押し込みによって内蔵吐出弁が開弁してステム２１上端より内容物が吐出する公知の吐出機構を備えたものが使用される。
【００２３】
固定盤４０は、エアゾール容器体２０の首部を並列した状態にて組み付ける孔を二箇所に備え、孔にエアゾール容器体２０の首部に挿入し、各容器体２０の外周上部にて嵌合させ、その後、筒状カバー３０に装着されて吐出ヘッド１に組み付けられる。
【００２４】
吐出ヘッド１は、図３〜図５に示すように、押圧板６１の下方への押し込みを防止する筒状カバーと一体化した筒状カバー一体型ストッパー３４を有する筒状体の筒状カバー３０と、ノズル５６を有するノズルヘッド５０と、押圧板６１を有するレバー本体６０から構成される。
【００２５】
筒状カバー３０は、外周壁３１の長手方向両側に固定盤４０を着脱自在するための係止孔３２が設けられおり、この係止孔３２に固定盤４０の係止突起４１を係止させることができる。また、係止孔３２の上部には上部押圧板３３が設けられており、この上部押圧板３３を両側から内側に押し込むことによって係止孔３２が外側に可動し、係止孔３２と係止突起４１の係止を解除でき、固定盤４０によって吐出ヘッド１に固定されて２本のエアゾール容器体２０を分離することができる。また、外周壁３１の短手方向には、ノズル５６を配置させる窪み３７ａが前方に、またレバー本体６０から伸びる押圧板６１を配置させる窪み３７ｂが後方にそれぞれ形成されている。筒状カバー３０の上半部は、内筒３８を有する二重構造となっており、内筒３８の下端には、内側に張り出したリブ３９が形成されてある。そして、後方の窪み３７ｂの上面には、不用意に押圧板６１が下方に押し下げられることを規制する筒状カバー一体型ストッパー３４が形成してある。筒状カバー一体型ストッパー３４は、窪み３７ｂ上面に対して開閉回動自在なヒンジを連設しており、筒状カバー３０と一体連結されている。窪み３７ｂ上面には、筒状カバー一体型ストッパー３４を係止するストッパー係止部材であるストッパー係止突片３５が設けられ、筒状カバー一体型ストッパー３４の両側に係止するように突設されている。
【００２６】
ノズルヘッド５０は、各ステム２１にそれぞれ嵌合する嵌合筒５１を底板５２両側より垂設した箱型の本体５３を備えると共に、本体５３前方から窪み３７ａを貫設したノズル５６内に連通する流路を内部に形成している。ノズルヘッド５０は、横長楕円状の底板５２の周縁部より立設した周壁５４上端縁より頂壁５５を延設して本体５３を形成している。また、ノズルヘッド５０は、底板５２の両側に上端を開口した嵌合筒５１をそれぞれ垂設し、更に、周壁５４の前方中央に基端を開口したノズル５６を前方へ突出している。そして、本体５３内中央からノズル５６中央を延設し、本体５３内及びノズル５６内を二分割する区画壁５７を設け、各嵌合筒５１から個別ルートで二つの内容物が吐出されるよう構成されている。なお、ノズルヘッド５０は、ノズル５６を含む上半部と、嵌合筒５１を含む下半部を一体に成形し、後方のヒンジ５８で折り曲げ、上下を組み合わせて形成してある。
【００２７】
レバー本体６０は、内筒３８の内部にほぼ一致する横長楕円状に形成してある。レバー本体６０は、押圧板６１と頂板６２が設けられ、頂板６２の長手方向両端の周壁６３には、内筒３８の内面に係合する突片が設けてある。頂板６２の前方端縁より、ノズル５６を通すための切り欠きが垂設してあり、レバー本体６０の後方には、押圧板６１がヒンジ６６を介して上下に回動自在に設けてある。押圧板６１は、後部に指置きのための窪み部を備え、下面には筒状カバー一体型ストッパー３４をより確実に係止させるための下面溝６４と押圧突部６５が形成されている。
【００２８】
押圧突部６５は、レバー本体６０を筒状カバー３０に組み付けたときノズルヘッド５０の頂壁５５に対向するよう、頂壁５５の中央部と各嵌合筒５１上方の左右各１箇所の３箇所に設けてある。下面溝６４に筒状カバー一体型ストッパー３４が係止しているロック状態から、ストッパーを解除するロック解除状態へと押圧板６１を一旦押し上げて下面溝６４から筒状カバー一体型ストッパー３４を脱離させた後、押圧板６１を押し下げると、押圧突部６５が頂壁５５に当接するまで下がり、更に押圧板６１を押し下げるとノズルヘッド５０が下方へと移動し、各ステム２１が押し込まれ、各容器体２０内の内容物がステム２１先端から流路を介してノズル５６先端より吐出される。
【００２９】
次に、吐出ヘッド１の作用について説明する。
【００３０】
エアゾール式吐出体１０を保管中等の不使用時は、図３に示される吐出ヘッド１において、押圧板６１下面の下面溝６４に筒状カバー一体型ストッパー３４が係止して下方への押し下げを規制するロック状態となっている。このストッパーが係止しているロック状態から押圧板６１を下方へ押し下げ可能とするロック解除状態に可変させるために、押圧板６１を一旦押し上げて下面溝６４から筒状カバー一体型ストッパー３４を脱離させてストッパーを解除する。その後、筒状カバー一体型ストッパー３４はヒンジを介して外側に倒され、ストッパー係止突片３５に係止し、図４に示されるように閉状態となる。
【００３１】
ノズル５６から内容物を吐出させるために、押圧突部６５が頂壁５５に当接している状態から更に押圧板６１を押し下げると、図５に示されるようにノズルヘッド５０を下方へ押圧し、各ステム２１を下方に押圧し、各容器体２０内の内容物がステム２１先端から流路を介してノズル５６先端より吐出される。
【００３２】
押圧板６１への押圧を解除すると各ステム２１の上方付勢力などによりノズルヘッド５０が上昇すると共に、押圧板６１が元の状態に復元する。その後、ストッパー係止突片３５による筒状カバー一体型ストッパー３４の係止を解除し、下面溝６４に筒状カバー一体型ストッパー３４が係止するロック状態に戻すと、不用意にレバー部を押し下げ誤吐出することを防止することができる。
【００３３】
以上、実施例に沿って本発明の構成とその作用効果について説明したが、本発明の実施の形態は上記実施例に限定されるものではない。
【００３４】
上記実施の形態では、ノズルヘッド５０において本体５３内及びノズル５６内を二分割する区画壁５７を設け個別ルートで二つの内容物が吐出しているが、区画壁５７を設けず本体５３内にて混合させて吐出させても構わない。
【００３５】
また、上記実施の形態では、筒状カバー一体型ストッパー３４を係止させるために押圧板６１の下面に下面溝６４を形成したが、ストッパーを係止させる突起や段部を突設しても構わない。更に、エアゾール容器体２０を２本１組から１本の容器体２０から吐出させるようにした構成とすることもできる。この場合、嵌合筒５１は底板５２の中央に一つ設けた構成となり、吐出ノズル５６内を二分割する区画壁５７は不要となる。また、押圧突部６５は３箇所に限定されるものではない。
【産業上の利用可能性】
【００３６】
以上説明したようにオーバーキャップレスにおいて、誤作動や不用意にレバーを押し下げて誤吐出することが防止でき、容易に切り替え可能する吐出ヘッドを提供できる。
【符号の説明】
【００３７】
１    ；吐出ヘッド
１０  ；吐出体
２０  ；容器体
２１  ；ステム
３０  ；筒状カバー
３１  ；外周壁
３２  ；係止孔
３３  ；上部押圧板
３４  ；筒状カバー一体型ストッパー
３５  ；ストッパー係止突片
３７ａ、３７ｂ  ；窪み
３８  ；内筒
３９  ；リブ
４０  ；固定盤
４１  ；係止突起
５０  ；ノズルヘッド
５１  ；嵌合筒
５２  ；底板
５３  ；本体
５４  ；周壁
５５  ；頂壁
５６  ；ノズル
５７  ；区画壁
５８  ；ヒンジ
６０  ；レバー本体
６１  ；押圧板
６２  ；頂板
６３  ；周壁
６４  ；下面溝
６５  ；押圧突起
６６  ；ヒンジ
【図１】
2015209273.tif 000003
【図２】
2015209273.tif 000004
【図３】
2015209273.tif 000005
【図４】
2015209273.tif 000006
【図５】
2015209273.tif 000007